(57)【要約】【課題】  短い間隔で薬液を土中に吐出することができるようにする。【解決手段】  本発明の土壌消毒機１は、圃場を走行自在に構成された機体２に対し、薬液Ｂが入れられた薬液タンク６と、該薬液タンク６の薬液Ｂを吸引する薬液ポンプ７と、該薬液ポンプ７を作動させるポンプ駆動機構８と、該薬液ポンプ７から吐出される薬液Ｂを土中に吐出する注入刀１０とが搭載されてなっている。薬液ポンプ７を複数台備えている。ポンプ駆動機構８は、該複数台の薬液ポンプ７を順繰りに作動させるように構成されている。注入刀１０には、該複数台の薬液ポンプ７から吐出される薬液Ｂを一カ所に集めてから送るように構成されている。【選択図】      図１
2009034027.tif 000002
【特許請求の範囲】
【請求項１】
圃場を走行自在に構成された機体に対し、
薬液が入れられた薬液タンクと、
該薬液タンクの薬液を吸引する薬液ポンプと、
該薬液ポンプを作動させるポンプ駆動機構と、
該薬液ポンプから吐出される薬液を土中に吐出する注入手段と
が搭載されてなる土壌消毒機であって、
前記薬液ポンプを複数台備え、
前記ポンプ駆動機構は、該複数台の薬液ポンプを順繰りに作動させるように構成され、
前記注入手段には、該複数台の薬液ポンプから吐出される薬液を一カ所に集めてから送るように構成された土壌消毒機。
【請求項２】
前記注入手段を複数備え、
前記一カ所に集められた薬液が該複数の注入手段に送られるように構成された請求項１記載の土壌消毒機。
【発明の詳細な説明】
【技術分野】
【０００１】
本発明は、圃場内を走行しながら土中に薬液を注入する土壌消毒機に関するものである。
【背景技術】
【０００２】
従来技術として、特許文献１に記載された土壌消毒機を例示する。この土壌消毒機は、図４に示すように、トラクター等の自走自在な駆動車に対し、転動輪５３に走行自在に支持して成る機体５１を牽引自在に連結せしめている。その機体５１には、転動輪５３に連動して作動するように構成された薬液ポンプ５５と、薬液を収納する薬液タンク５８とを搭載している。薬液ポンプ５５の吸入口側には薬液タンク５８に通じる吸入パイプ５６を配し、吐出口側には機体底部の注入刀５９先端の吐出口６０に通じる吐出パイプ５７を配してなっている。
【０００３】
従来、この種の土壌消毒機は、主にクロロピクリン剤用として、転動輪５３の回転により、１個の薬液ポンプ５５と１つの注入刀５９により、約３０ｃｍ間隔で注入している。また、薬液ポンプ５５としては、ダイヤフラムポンプが使用されてきている。
【０００４】
【特許文献１】特開２００１−１７０５８号公報
【発明の開示】
【発明が解決しようとする課題】
【０００５】
ところが、近年、クロロピクリン剤は薬効及び刺激臭が強いこと等が敬遠され、その代替えとして、カーバムナトリウム塩が普及し始めている。しかしながら、このカーバムナトリウム塩は５ｃｍ間隔で土中に注入しなければならず、この仕様に対応した土壌消毒機は存在していない。
【０００６】
仮に、従来の土壌消毒機における薬液ポンプ５５の駆動速度を向上させることも考えられるが、そうすると、薬液ポンプ５５に無理が掛かり、薬液ポンプ５５の動作が不安定になったり、薬液ポンプ５５の寿命が低減する可能性がある。特に、土壌消毒機の薬液ポンプ５５としては、実績のあるダイヤフラムポンプを採用することが好ましい。しかしながら、５ｃｍ間隔で薬液を吐出するようにダイヤフラムポンプの駆動速度を上昇させると、ダイヤフラムポンプが内蔵するゴム製のダイヤフラムに過度の動きを強制することになり、ポンプの動作が不安定になるとともに、ダイヤフラムが薬液で腐蝕し易くなって寿命が短縮してしまうという課題がある。
【課題を解決するための手段】
【０００７】
上記課題を解決するために、本発明の土壌消毒機は、
圃場を走行自在に構成された機体に対し、
薬液が入れられた薬液タンクと、
該薬液タンクの薬液を吸引する薬液ポンプと、
該薬液ポンプを作動させるポンプ駆動機構と、
該薬液ポンプから吐出される薬液を土中に吐出する注入手段と
が搭載されてなる土壌消毒機であって、
前記薬液ポンプを複数台備え、
前記ポンプ駆動機構は、該複数台の薬液ポンプを順繰りに作動させるように構成され、
前記注入手段には、該複数台の薬液ポンプから吐出される薬液を一カ所に集めてから送るように構成されている。
【０００８】
この構成によれば、複数台の薬液ポンプを順繰りに作動させるようになっているので、各薬液ポンプの駆動速度をその分低減させることができる。このため薬液ポンプの動作を安定させることができるとともに、薬液ポンプの寿命の短縮を防止できる。そして、複数台の薬液ポンプから吐出される薬液を一カ所に集めてから前記注入手段に送るようになっているので、短い間隔で薬液を土中に吐出することができる。
【０００９】
前記土壌消毒機においては、
前記注入手段を複数備え、
前記一カ所に集められた薬液が該複数の注入手段に送られるように構成された態様を例示する。
【００１０】
この構成によれば、複数の注入手段により、複数カ所で同時に薬液を土中に注入することができる。
【発明の効果】
【００１１】
本発明に係る土壌消毒機によれば、短い間隔で薬液を土中に吐出することができるという優れた効果を奏する。
【発明を実施するための最良の形態】
【００１２】
図１〜図３は本発明を具体化した一実施形態の土壌消毒機１を示している。この土壌消毒機１は、いわゆる自走タイプのものであり、前輪３及び転動輪４により圃場を走行自在に支持された機体２を備え、該機体２の前部に走行用の原動機５を搭載して前輪３を駆動回転している。この機体２に対し、薬液Ｂが入れられた薬液タンク６と、該薬液タンク６の薬液Ｂを吸引する左右一対の薬液ポンプ７と、該各薬液ポンプ７をそれぞれ作動させる左右一対のポンプ駆動機構８と、該両薬液ポンプ７から吐出される薬液Ｂを合流させる合流部９と、該合流部９から吐出される薬液Ｂを土中に吐出する３本の注入刀１０とが搭載されている。なお、各図において、矢印Ｆは機体前側を指し示している。
【００１３】
図１及び図３に示すように、薬液タンク６の上部開口には、開閉弁１５を有する吸入パイプ１６が挿入されており、該吸入パイプ１６は、途中で２分岐され、各薬液ポンプ７の吸入口７ａに接続されている。各薬液ポンプ７の吐出口７ｂは、それぞれ合流部９に第一の吐出パイプ１７で接続されており、該合流部９は、各注入刀１０に第二の吐出パイプ１８で接続されている。このように、一対の薬液ポンプ７から順繰りに吐出される薬液Ｂは、合流部９に集められ、該合流部９から３本の注入刀１０にそれぞれ送られるように構成されている。また、合流部９には、薬液タンク６へ余分な薬液Ｂを還流させるための一対の還流パイプ１９がそれぞれ接続されている。
【００１４】
薬液ポンプ７は、本例では、ダイヤフラムポンプが採用されており、プッシュロッド２０が上下に往復駆動されると、これにより内蔵するダイヤフラム（図示略）が駆動されるようになっており、具体的には、プッシュロッド２０が下方に駆動されると薬液Ｂを吸入口７ａから吸入し、プッシュロッド２０が上方に駆動されると薬液Ｂを吐出口７ｂから吐出するようになっている。
【００１５】
ポンプ駆動機構８は、転動輪４の回転速度を増速させる増速機構としてのチェーン伝動機構２１と、該チェーン伝動機構２１の出力軸２２に取り付けられた角丸正方形状のカム２３と、一端側にカム２３に従動するカムフォロアー２４が設けられ、他端側で薬液ポンプ７のプッシュロッド２０を上下に往復運動させるシーソー型テコ２５とを備えている。本例の両ポンプ駆動機構８は、図２に示すように、両ポンプ駆動機構８のカム２３が、相対的に４５°ずれた状態で取り付けられており（同図中、両ポンプ駆動機構８のうちの一方を実線で、他方を二点鎖線で示している。）、これにより、転動輪４の回転に伴って、両薬液ポンプ７を交互に作動させるようになっている。
【００１６】
以上のように構成された本例の土壌消毒機１によれば、２台の薬液ポンプ７を交互に作動させるようになっているので、各薬液ポンプ７の駆動速度をその分低減させることができる。このため薬液ポンプ７の動作を安定させることができるとともに、薬液ポンプ７の寿命の短縮を防止できる。そして、２台の薬液ポンプ７から吐出される薬液Ｂを一カ所に集めてから注入手段としての注入刀１０に送るようになっているので、短い間隔で薬液Ｂを土中に吐出することができる。
【００１７】
また、一カ所に集められた薬液Ｂが該３本の注入刀１０に送られるように構成されているので、３カ所で同時に薬液Ｂを土中に注入することができる。
【００１８】
なお、本発明は前記実施形態に限定されるものではなく、例えば以下のように、発明の趣旨から逸脱しない範囲で適宜変更して具体化することもできる。
（１）薬液ポンプ７や注入刀１０の数を適宜変更すること。
（２）自走のための機構（走行用の原動機５等）に代えて、トラクター等の自走可能な駆動車に対して連結する連結具を設け、該駆動車によって牽引されるように、本発明の土壌消毒機１を構成すること。
【図面の簡単な説明】
【００１９】
【図１】本発明を具体化した一実施形態に係る土壌消毒機の側面図である。
【図２】同土壌消毒機のポンプ駆動機構の要部の動作を示す図である。
【図３】同土壌消毒機における薬液のフローを示すブロック図である。
【図４】従来の土壌消毒機の側面図である。
【符号の説明】
【００２０】
１    土壌消毒機
２    機体
３    前輪
４    転動輪
５    原動機
６    薬液タンク
７    薬液ポンプ
７ａ  吸入口
７ｂ  吐出口
８    ポンプ駆動機構
９    合流部
１０    注入刀
１６    吸入パイプ
１７    第一の吐出パイプ
１８    第二の吐出パイプ
１９    還流パイプ
２０    プッシュロッド
２１    チェーン伝動機構
２２    出力軸
２３    カム
２４    カムフォロアー
２５    シーソー型テコ
Ｂ    薬液
【図１】
2009034027.tif 000003
【図２】
2009034027.tif 000004
【図３】
2009034027.tif 000005
【図４】
2009034027.tif 000006